(57)【要約】【課題】スローリトリーブからファーストリトリーブまで安定したローリングアクションを発生させるルアーを提供する。【解決手段】小魚等を模倣した概略流線型状のボディ１０と、ローリングアクションの中心軸線Ａｘに対し左右対称に配置した２個のローリング復元ウエイト３１Ｌ，３１Ｒとを具備する。【効果】スローリトリーブからファーストリトリーブまで安定したローリングアクションを発生させ、回転したり、水面から飛び出したりすることを防止できる。【選択図】  図３
2004305022.tif 000002
【特許請求の範囲】
【請求項１】
略魚形状のボディと、前記ボディの前後方向の略中央で且つ前記ボディを左右に分割する面に対し対称に配置した２個以上のローリング復元ウエイトとを具備したことを特徴とするルアー。
【請求項２】
略魚形状のボディと、前記ボディの前後方向の略中央で且つ前記ボディを左右に分割する面に対し対称で縦に対する横の比が０．５より大きい形状を有するローリング復元ウエイトとを具備したことを特徴とするルアー。
【発明の詳細な説明】
【０００１】
【発明の属する技術分野】
本発明は、ルアーに関し、さらに詳しくは、スローリトリーブからファーストリトリーブまで安定したローリングアクションを発生させうるルアーに関する。
【０００２】
【従来の技術】
従来、略魚形状のボディと、そのボディの軸線に対し左右対称で上下方向に扁平な形状を有する錘とを具備したルアーが知られている（例えば、特許文献１参照。）。
【０００３】
【特許文献１】
特開２００１−１９０１８４号公報（［００１３］−［００１４］，図２〜図５）
【０００４】
【発明が解決しようとする課題】
ルアーは、リトリーブ時の水流でローリングアクション（左右方向のゆれ）を発生し、魚にアピールするようになっている。
しかし上記従来のルアーでは、上下方向に扁平な錘を使っていたため、ローリング復元力が弱かった。このため、スローリトリーブ時には特に支障を生じなかったが、ファーストリトリーブを行うと、リトリーブ速度にローリング復元速度が追いつかなくなり、ついには、回転したり、水面から飛び出したりする問題点があった。
そこで、本発明の目的は、スローリトリーブからファーストリトリーブまで安定したローリングアクションを発生させうるルアーを提供することにある。
【０００５】
【課題を解決するための手段】
第１の観点では、本発明は、略魚形状のボディと、前記ボディの前後方向の略中央で且つ前記ボディを左右に分割する面に対し対称に配置した２個以上のローリング復元ウエイトとを具備したことを特徴とするルアーを提供する。
上記第１の観点によるルアーでは、ボディに対し左右対称に２個以上のローリング復元ウエイトを配置したため、ローリングアクションの中心軸線に対してローリング復元ウエイトが与える回転モーメントは、常にボディを正立する方向に働き、ローリング復元力が強くなる。これにより、ファーストリトリーブ時でもリトリーブ速度にローリング復元速度が追いつき、回転したり、水面から飛び出したりすることを防止できる。
【０００６】
第２の観点では、本発明は、略魚形状のボディと、前記ボディの前後方向の略中央で且つ前記ボディを左右に分割する面に対し対称で縦に対する横の比が０．５より大きい形状を有するローリング復元ウエイトとを具備したことを特徴とするルアーを提供する。
上記第２の観点によるルアーでは、ボディに対し左右対称で縦に対する横の比が０．５より大きい形状を有するローリング復元ウエイトを配置したため、ローリングアクションの中心軸線に対してローリング復元ウエイトが与える回転モーメントは、常にボディを正立する方向に働き、ローリング復元力が強くなる。これにより、ファーストリトリーブ時でもリトリーブ速度にローリング復元速度が追いつき、回転したり、水面から飛び出したりすることを防止できる。
なお、縦に対する横の比が０．５より小さい形状にすると、安定性が悪くなり、好ましくない。
【０００７】
【発明の実施の形態】
以下、図を参照して本発明の実施の形態を説明する。なお、これにより本発明が限定されるものではない。
【０００８】
−第１の実施形態−
図１は、第１の実施形態に係るルアー１００を示す左側面図である。
このルアー１００は、いわゆるプラグ型であり、その形態，紋様，色彩等を小魚等に模倣した概略流線型状のボディ１０と、ボディ１０の頭側に固着されラインＬを取り付けるアイレット１１と、ボディ１０の前部に取り付けられリトリーブ時の水流を受けてルアー１００を下方に沈ませる力を生じるとともにルアー１００にローリングアクションやウォブリングアクションを生じさせるリップ１２と、フック１３と、ボディ１０の前部および後部に配置されルアー１００の比重および前後のバランスを調整するための前部メインウエイト２１および後部メインウエイト２２と、ボディ１０の略中央に配置されローリング復元力を強化するためのローリング復元ウエイト３１Ｌ，３１Ｒとを具備して構成されている。
【０００９】
図２は、図１のＡ−Ａ’端面図である。
ローリング復元ウエイト３１Ｌ，３１Ｒは、ボディ１０を左右対称に分割する左右対称分割面Ｐに対し左右対称に配置されている。また、左右対称分割面Ｐ内にローリングアクションの中心軸線Ａｘが在る。そして、ボディ１０が正立している状態において、ローリングアクションの中心軸線Ａｘより下にローリング復元ウエイト３１Ｌ，３１Ｒの重心が位置している。
ローリング復元ウエイト３１Ｌ，３１Ｒは、例えば、ステンレス鋼，スチール，真鍮，銅，鉛，タングステン，タングステン樹脂またはアルミニウムなど、ボディ１０の材質よりも比重の大きい材質製であり、同じ重量である。
【００１０】
図３は、ローリングアクションを説明する正面図である。
リトリーブ時の水流を受けてローリングアクションを生じ、図３の（ａ）（ｂ）（ｃ）のように左右に揺れる。
そして、図３の（ａ）に示すようにボディ１０が右傾したときには、中心軸線Ａｘに対するローリング復元ウエイト３１Ｌの回転モーメント（ローリング復元ウエイト３１Ｌの重量×中心軸線Ａｘからローリング復元ウエイト３１Ｌの重心までの水平距離）が、中心軸線Ａｘに対するローリング復元ウエイト３１Ｒの回転モーメント（ローリング復元ウエイト３１Ｒの重量×中心軸線Ａｘからローリング復元ウエイト３１Ｒの重心までの水平距離）より大きくなるため、図３の（ｂ）の正立状態へ復元させるローリング復元力が働く。
反対に、図３の（ｃ）に示すようにボディ１０が左傾したときには、中心軸線Ａｘに対するローリング復元ウエイト３１Ｒの回転モーメント（ローリング復元ウエイト３１Ｒの重量×中心軸線Ａｘからローリング復元ウエイト３１Ｒの重心までの水平距離）が、中心軸線Ａｘに対するローリング復元ウエイト３１Ｌの回転モーメント（ローリング復元ウエイト３１Ｌの重量×中心軸線Ａｘからローリング復元ウエイト３１Ｌの重心までの水平距離）より大きくなるため、図３の（ｂ）の正立状態へ復元させるローリング復元力が働く。
【００１１】
このようにローリング復元ウエイト３１Ｌ，３１Ｒによるローリング復元力が働くため、ファーストリトリーブ時でもリトリーブ速度にローリング復元速度が追いつき、回転したり、水面から飛び出したりすることを防止できる。
【００１２】
なお、ローリング復元ウエイト３１Ｌ，３１Ｒの形状は、球状の他、図７の（ａ）に示す円錐，（ｂ）に示す三角柱，（ｃ）に示す円柱、（ｄ）に示す縦長の円柱、（ｅ）に示す切り口を斜めにした円柱、（ｆ）に示す切り口を斜めにした縦長の円柱、（ｇ）に示す台状などの形状でもよい。
また、２個のローリング復元ウエイト３１Ｌ，３１Ｒの例を示したが、個数は３個以上でもよい。
【００１３】
−第２の実施形態−
図４は、第２の実施形態に係るルアー２００を示す左側面図である。
このルアー２００は、いわゆるプラグ型であり、その形態，紋様，色彩等を小魚等に模倣した概略流線型状のボディ１０と、ボディ１０の頭側に固着されラインＬを取り付けるアイレット１１と、ボディ１０の前部に取り付けられリトリーブ時の水流を受けてルアー１００を下方に沈ませる力を生じるとともにルアー１００にローリングアクションやウォブリングアクションを生じさせるリップ１２と、フック１３と、ボディ１０の前部および後部に配置されルアー１００の比重および前後のバランスを調整するための前部メインウエイト２１および後部メインウエイト２２と、ボディ１０の中央に配置されローリング復元力を強化するためのローリング復元ウエイト３２とを具備して構成されている。
【００１４】
図５は、図４のＡ−Ａ’端面図である。
ローリング復元ウエイト３２は、ボディ１０を左右対称に分割する左右対称分割面Ｐに対し左右対称で左右方向に扁平な台状の形状を有する。また、左右対称分割面Ｐ内にローリングアクションの中心軸線Ａｘが在る。そして、ボディ１０が正立している状態において、ローリングアクションの中心軸線Ａｘより下にローリング復元ウエイト３２の重心が位置している。
ローリング復元ウエイト３２は、例えば、ステンレス鋼，スチール，真鍮，銅，鉛，タングステン，タングステン樹脂またはアルミニウムなど、ボディ１０の材質よりも比重の大きい材質製であり、左右対称分割面Ｐに重心がある。
【００１５】
図６は、ローリングアクションを説明する正面図である。
リトリーブ時の水流を受けてローリングアクションを生じ、図６の（ａ）（ｂ）（ｃ）のように左右に揺れる。
そして、図６の（ａ）に示すようにボディ１０が右傾したときには、中心軸線Ａｘに対するローリング復元ウエイト３２の回転モーメント（ローリング復元ウエイト３２の重量×中心軸線Ａｘからローリング復元ウエイト３２の重心までの水平距離）が、図６の（ｂ）の正立状態へ復元させるローリング復元力として働く。
反対に、図６の（ｃ）に示すようにボディ１０が左傾したときには、中心軸線Ａｘに対するローリング復元ウエイト３２の回転モーメント（ローリング復元ウエイト３２の重量×中心軸線Ａｘからローリング復元ウエイト３２の重心までの水平距離）が、図６の（ｂ）の正立状態へ復元させるローリング復元力として働く。
【００１６】
このようにローリング復元ウエイト３２によるローリング復元力が働くため、ファーストリトリーブ時でもリトリーブ速度にローリング復元速度が追いつき、回転したり、水面から飛び出したりすることを防止できる。
【００１７】
なお、ローリング復元ウエイト３２の形状は、ボディ１０の形状との整合性の観点から下向き台状の形状が好ましいが、図７の（ａ）に示す円錐，（ｂ）に示す三角柱，（ｃ）に示す円柱、（ｄ）に示す縦長の円柱、（ｅ）に示す切り口を斜めにした円柱、（ｆ）に示す切り口を斜めにした縦長の円柱、（ｇ）に示す台状などの形状でもよい。
【００１８】
−他の実施形態−
（１）ルアー１００，２００は、ルアー１００全体の比重が水より小さいフローティング・タイプでもよく、全体の比重が水とほぼ等しいサスペンド・タイプでもよく、全体の比重が水より大きいシンキング・タイプでもよい。
（２）リップ１２を省くと共に水流でルアー１００，２００を下方に沈ませる力を生じさせる上向き傾斜面をボディ１０の頭部に設けたリップレス・ルアーとしてもよい。
【００１９】
【発明の効果】
本発明のルアーによれば、ローリング復元ウエイトを備えているので、スローリトリーブからファーストリトリーブまで安定したローリングアクションを発生させることが出来る。
【図面の簡単な説明】
【図１】第１の実施形態に係るルアーを示す左側面図である。
【図２】図１のＡ−Ａ’端面図である。
【図３】第１の実施形態に係るルアーのローリングアクションを説明する正面図である。
【図４】第２の実施形態に係るルアーを示す左側面図である。
【図５】図２のＡ−Ａ’端面図である。
【図６】第２の実施形態に係るルアーのローリングアクションを説明する正面図である。
【図７】ローリング復元ウエイトの形状例を示す斜視図である。
【符号の説明】
１０                      ボディ
１２                      リップ
２１                      前部メインウエイト
２２                      後部メインウエイト
３１Ｌ，３１Ｒ，３２      ローリング復元ウエイト
１００，２００            ルアー
Ｐ                        左右対称分割面
Ａｘ                      中心軸線
【図１】
2004305022.tif 000003
【図２】
2004305022.tif 000004
【図３】
2004305022.tif 000005
【図４】
2004305022.tif 000006
【図５】
2004305022.tif 000007
【図６】
2004305022.tif 000008
【図７】
2004305022.tif 000009